(57)【要約】【課題】国際１０−２０法による基準点を容易に設定することができるスケールを提供する。【解決手段】  移動可能に重ねられた可撓性のある第１および第２の帯11,12と、長手方向中心を示す中心部材30と、第１の帯と第２の帯とを中心30に対して、同じ移動量だけ伸びまたは縮ませる機構部13とを有する。このスケールを被検体１の頭に当て、伸縮状態表示目盛り16により、全長を測定し、その数値に対応する目盛りを基準点表示目盛り17から探すことにより、その目盛りの指す位置を基準点として求めることができる。また、中心部材30の位置を基準点として求めることができる。【選択図】  図２
2010158398.tif 000002
【特許請求の範囲】
【請求項１】
長手方向移動可能に重ねられた可撓性のある第１および第２の帯と、前記重ねられた第１および第２の帯の全体の長さの中心を示す中心部材と、前記第１の帯の端部を前記中心に対して所定量だけ伸びまたは縮ませた場合に、前記第２の帯の端部を前記中心に対して、前記第１の帯とは逆の方向へ同じ移動量だけ伸びまたは縮ませる機構部とを有し、
前記第１の帯の上には、前記第１および第２の帯の伸縮状態を示すための伸縮状態表示目盛りと数値が記載され、前記第２の帯の上には、前記伸縮状態表示目盛りに対応した数値、および、その数値の示す伸縮状態において前記中心部材の位置から予め定めた距離を示す基準点表示目盛りが記載されていることを特徴とする頭部用スケール。
【請求項２】
請求項１に記載の頭部用スケールにおいて、前記第１および第２の帯と前記機構部を二組有し、一組の前記第１および第２の帯は、他の組の前記第１および第２の帯と直交して配置されていることを特徴とする頭部用スケール。
【請求項３】
請求項１または２に記載の頭部用スケールにおいて、前記基準点表示目盛りは、前記第２の帯の上に２種類記載され、該２種類の基準点表示目盛りは、前記中心部材を挟んで両側に記載されていることを特徴とする頭部用スケール。
【請求項４】
請求項１ないし３のいずれか１項に記載の頭部用スケールにおいて、前記伸縮状態表示目盛りは、前記第２の帯の端部を基準として読まれるようにその目盛りおよび数値が記載されていることを特徴とする頭部用スケール。
【請求項５】
請求項１ないし４のいずれか１項に記載の頭部用スケールにおいて、前記機構部は、中心が前記中心部材に回転可能に固定された円盤を有し、
前記円盤は、前記中心部材に対して対称に形成された２本のスリットを備え、前記２本のスリットには、前記第１および第２の帯に固定された突起とそれぞれ係合していることを特徴とする頭部用スケール。
【請求項６】
１辺の長さの比が１：２：２：２：２：１である６個の格子を一列に、かつ、開き角の変位可能に連結した格子連続体を有することを特徴とする頭部用スケール。
【請求項７】
請求項６に記載の頭部用スケールにおいて、前記格子連続体を２本、中心で交差させ連結したことを特徴とする頭部用スケール。
【請求項８】
請求項７に記載の頭部用スケールにおいて、前記交差した２本の格子連続体の１本を前後用スケール、もう１本を左右用スケールとし、これらにさらに２本の前記格子連続体を右外周用スケールと左外周用スケールとして連結した構成であり、
前記右外周用スケールの両端は、前記前後用スケールの格子連続体の両端の格子とその内側の格子との連結部にそれぞれ連結され、前記左外周用スケールの両端は、前記右外周用スケールの両端が連結されたのと同じ前記連結部に連結されることにより、前記右外周用スケールと左外周用スケールは、輪を構成していることを特徴とする頭部用スケール。
【請求項９】
請求項８に記載の頭部用スケールにおいて、前記右外周用スケールの格子連続体の中心の連結部は、前記左右用スケールの格子連続体の右端部の格子とその内側の格子との連結部に連結され、前記左外周用スケールの格子連続体の中心の連結部は、前記左右用スケールの格子連続体の左端部の格子とその内側の格子との連結部に連結されていることを特徴とする頭部用スケール。
【請求項１０】
請求項６ないし９に記載の頭部用スケールにおいて、６個の格子のうち隣接する格子の辺は、連続した帯により構成されていることを特徴とする頭部用スケール。
【請求項１１】
請求項９に記載の頭部用スケールにおいて、前記前後用スケールの前側の端部から２個目と３個目の格子の連結部と、前記左外周用スケールの前側の端部から２個目と３個目の格子の連結部には、１辺の長さの比が１：１である２個の格子の連続体の両端が連結され、
前記前後用スケールの前側の端部から２個目と３個目の格子の連結部と、前記右外周用スケールの前側の端部の２個目と３個目の格子の連結部には、１辺の長さの比が１：１である２個の格子の連続体の両端が連結されていることを特徴とする頭部用スケール。
【発明の詳細な説明】
【技術分野】
【０００１】
本発明は、生体光計測装置等による脳計測において、国際１０−２０法による計測点の位置決めをするための頭部用スケールに関する。
【背景技術】
【０００２】
脳機能や脳活動を測定する装置として、生体光計測装置や脳波計が知られている。これらはいずれも頭皮上にプローブや電極を配置することにより、脳の情報を無侵襲に計測する。
【０００３】
例えば、生体光計測装置は、光出射用光ファイバプローブと受光用光ファイバプローブとを頭皮上の所定の位置にそれぞれ配置し、光出射用光ファイバープローブから例えば２波長の近赤外光を出射し、頭蓋内を通過した光を受光用光ファイバプローブで受光する。受光強度から酸素化ヘモグロビン濃度と脱酸素化ヘモグロビン濃度の変化を示す信号を計測する。一方、脳波計は、頭皮上の所定位置に配置した電極から、脳の電気活動を測定する。
【０００４】
従来、生体光計測装置や脳波計の測定は、特許文献１および２に記載されているように、国際１０−２０法で定められる複数の相対的基準点にプローブや電極を配置している。国際１０−２０法は、被検者の鼻根、後頭結節、左右耳介前点を基準として、頭蓋外周を通ってこれらを結ぶ線分を所定の割合で分割した位置を当該被検者の相対的基準点として設定する方法である。
【０００５】
国際１０−２０法による相対的基準点を図１２に示す。図１２（ａ）、（ｂ）のように、鼻根と後頭結節を頭頂を通って結ぶ曲線と、左右の耳介前点を頭頂を通って結ぶ曲線との交点、すなわちそれぞれの線分の中心を正中中心の基準点Czとする。図１２（ａ）のように鼻根と後頭結節を頭頂を通って結ぶ曲線を長さ10％、20％、20％、20％、20％、10％の割合で６つに分割した場合、中心のCzから鼻根側に20％の位置をFzとする。Czから後頭結節側へ20％の位置をPzとする。
【０００６】
図１２（ｂ）のように左右の耳介前点を頭頂を通って結ぶ曲線を長さ10％、20％、20％、20％、20％、10％の割合で６つに分割する点を、右耳介前点から左耳介前点側へ順にT4、C4、Cz、C3、T3とする。
【０００７】
図１２（ｃ）のように鼻根上部と左耳介上部のT3と後頭結節と右耳介上部のT4とを通って頭を一周する曲線を想定する。鼻根上部からT3を通って後頭結節上部に至る長さを10％、20％、20％、20%、20%、10％に分割することにより鼻根上部側から順にFp1、F7、T3、T5、O1と規定する。また、鼻根上部からT4を通って後頭結節上部に至る長さを10％、20％、20％、20%、20%、10％に分割することにより鼻根上部側から順にFp2、F8、T4、T6、O2と規定する。
【０００８】
さらに、図１２（ｃ）のようにF8とFzを結ぶ曲線の中点にF4、FzとF7を結ぶ曲線の中点にF3を設定する。T6とPzを結ぶ曲線の中点にP4、PzとT5を結ぶ曲線の中点にP3を設定する。
【０００９】
このようにして１９点の相対的基準点が設定される。
【００１０】
このように国際１０−２０法による相対的基準点は、被検者の頭の大きさに応じて決定されるため、従来は、被検者の頭部に巻き尺をあて、鼻根から頭頂を通って後頭結節に至る曲線の長さ、左右の耳介前点を頭頂を取って結ぶ曲線の長さをそれぞれ計測し、計測した長さから10％、20％、20％、20％、20％、10％の長さを計算で求め、各基準点を設定している。周方向についても同様である。
【００１１】
また、特許文献２では、基準点の設定を容易にするために、平行に並べた複数の長板状部材の両端を伸縮可能な連結部材で連結したホルダーを開示している。これにより、長板状部材を平行に保持したまま、間隔を調整でき、長板状部材に備えられた貫通孔（ソケット）にプローブを挿入することにより、位置決めできる。
【先行技術文献】
【特許文献】
【００１２】
【特許文献１】特開２００８−６７９０４号公報
【特許文献２】特開２００７−１５９６４４号公報
【発明の概要】
【発明が解決しようとする課題】
【００１３】
従来のように、巻き尺により被検者の頭のサイズを測定して、基準点を求める方法は、複数の基準点を求めるためには、被検者の頭に巻き尺を巻きつけて複数個所の長さを測定しながら、それをメモし、電卓等を叩いて所定の割合を計算してそれをメモし、求めた長さの位置を再び被検者の頭に巻き尺を当てて決め、その位置にプローブを位置決めするという手順が必要である。これを多数の点について行うと時間がかかり、被検者および操作者の負担が大きい。
【００１４】
また、特許文献２に記載のホルダーは、長板状部材を等間隔に配置できると記載されているが、上述したように国際１０−２０法により基準点は、等間隔ではないうえ、所定の割合の位置であるため、単に等間隔に長板状部材を配置するだけでは一義的に基準点を決定することはできない。
【００１５】
本発明の目的は、国際１０−２０法による基準点を容易に設定することができるスケールを提供することにある。
【課題を解決するための手段】
【００１６】
上記目的を達成するために、本発明の第１の態様によれば以下のような頭部用スケールが提供される。すなわち、長手方向移動可能に重ねられた可撓性のある第１および第２の帯と、重ねられた第１および第２の帯の全体の長さの中心を示す中心部材と、第１の帯の端部を中心に対して所定量だけ伸びまたは縮ませた場合に、第２の帯の端部を中心に対して、第１の帯とは逆の方向へ同じ移動量だけ伸びまたは縮ませる機構部とを有する頭部用スケールである。第１の帯の上には、第１および第２の帯の伸縮状態を示すための伸縮状態表示目盛りと数値が記載され、第２の帯の上には、伸縮状態表示目盛りに対応した数値、および、その数値の示す伸縮状態において中心部材の位置から予め定めた距離を示す基準点表示目盛りが記載されている。これにより、このスケールを被検体の頭に当て、伸縮状態表示目盛りにより、全長を測定し、その数値に対応する目盛りを基準点表示目盛りから探すことにより、その目盛りの指す位置を基準点として求めることができる。また、中心部材の位置を基準点として求めることができる。
【００１７】
第１および第２の帯と前記機構部を二組用意し、一組の第１および第２の帯は、他の組の第１および第２の帯と直交して配置することが可能である。これにより、２方向についてそれぞれ基準点を求めることができる。たとえば、鼻根から後頭結節方向と、左右の耳介を結ぶ方向について基準点を求めることができる。
【００１８】
基準点表示目盛りを、第２の帯の上に２種類記載することができる。該２種類の基準点表示目盛りは、中心部材を挟んで両側に記載することができる。これにより、例えば中心部材をCz、その両側の前後方向のFz,Pzまたは、C4,C3の位置を求めることができる。
【００１９】
例えば、伸縮状態表示目盛りは、第２の帯の端部を基準として読まれるようにその目盛りおよび数値が記載されている。
【００２０】
機構部としては、例えば、中心が前記中心部材に回転可能に固定された円盤を有する構成とする。円盤は、中心部材に対して対称に形成された２本のスリットを備え、２本のスリットには、第１および第２の帯に固定された突起とそれぞれ係合している構成とする。
【００２１】
また、本発明によれば、第２の態様の頭部用スケールが提供される。すなわち、１辺の長さの比が１：２：２：２：２：１である６個の格子を一列に、かつ、開き角の変位可能に連結した格子連続体を有する頭部用スケール。このように連結した格子連続体は、全体の伸縮状態により自由に被検体の頭部の細部に合わせることができるとともに、その伸縮状態に関わらず、格子の長手方向の対角距離は、１：２：２：２：２：１である。よって、格子連結体の連結点が示す位置が、国際１０−２０法による基準点に対応する。
【００２２】
例えば、格子連続体を２本、中心で交差させ連結することにより、前後、左右の２方向に基準点を決定することができる。
【００２３】
交差した２本の格子連続体の１本を前後用スケール、もう１本を左右用スケールとし、これらにさらに２本の前記格子連続体を右外周用スケールと左外周用スケールとして連結した構成することも可能である。このとき、右外周用スケールの両端は、前後用スケールの格子連続体の両端の格子とその内側の格子との連結部にそれぞれ連結され、左外周用スケールの両端は、前記右外周用スケールの両端が連結されたのと同じ前記連結部に連結された構成とすることにより、右外周用スケールと左外周用スケールで輪を構成することができる。これにより、頭部に被せることが可能なスケールを提供できる。
【００２４】
右外周用スケールの格子連続体の中心の連結部は、左右用スケールの格子連続体の右端部の格子とその内側の格子との連結部に連結され、左外周用スケールの格子連続体の中心の連結部は、左右用スケールの格子連続体の左端部の格子とその内側の格子との連結部に連結されている構成とすることも可能である。これにより、前後用スケールの端部を鼻根と後頭結節、左右用スケールの端部を左右耳介前点に位置決めし、全体を頭に沿うように伸縮するだけで、１７点の基準点をその連結点から決定することができる。
【００２５】
例えば、格子連続体を構成する６個の格子のうち隣接する格子の辺は、連続した帯により構成することができる。これにより、隣接する格子の開き角を伸縮状態に関わらず同一にすることができる。
【００２６】
前後用スケールの前側の端部から２個目と３個目の格子の連結部と、左外周用スケールの前側の端部から２個目と３個目の格子の連結部に、１辺の長さの比が１：１である２個の格子の連続体の両端を連結することができる。また、前後用スケールの前側の端部から２個目と３個目の格子の連結部と、右外周用スケールの前側の端部の２個目と３個目の格子の連結部に、１辺の長さの比が１：１である２個の格子の連続体の両端を連結することができる。これにより、２個の格子の連続体の中央の連結点から、さらに２点の基準点を決定することができる。
【発明の効果】
【００２７】
本発明の頭部用スケールを用いることにより、国際１０−２０法による基準点を容易に設定することができる。
【図面の簡単な説明】
【００２８】
【図１】第１の実施形態の簡易型スケールの上面図。
【図２】図１の簡易型スケールを被検体１の頭に当てた状態を示す斜視図。
【図３】図１の簡易型スケールの前後用スケール１０の（ａ）帯１１，１２の形状を示す上面図、（ｂ）帯１１，１２を重ねてピン１１ｃ，１２ｃで係合した状態を示す上面図、（ｃ）円盤１３の上面図、（ｄ）帯１１，１２の上に円盤１３を重ねた状態の上面図。
【図４】図１の簡易型スケールの前後用スケール１０に左右用スケール１０を重ねることを示す説明図。
【図５】図１の簡易型スケールを被検体１の頭に当てて伸縮させた状態の一例を示す上面図。
【図６】図１の簡易型スケールを頭の小さい被検体１に当てて伸縮させた状態の一例を示す上面図。
【図７】第２の実施形態の全位置決定用スケールを被検体１の頭に被せた状態を示す斜視図。
【図８】図７の全位置決定用スケールを構成する格子連続体の構造を示す上面図。
【図９】図８の格子連続体を４本組み合わせて図７の全位置決定用スケールを構成することを示す説明図。
【図１０】図８の格子連続体を構成する３種類の帯Ｅ、Ｆ、Ｇの形状を示す上面図。
【図１１】図７の全位置決定用スケールに連結するための、格子２個の連続体を示す上面図。
【図１２】被検体の頭皮上での国際１０−２０法による基準点の位置を示す（ａ）左側面図、（ｂ）正面図、（ｃ）上面図。
【発明を実施するための形態】
【００２９】
本発明の一実施の形態について説明する。
（第１の実施の形態）
第１の実施の形態として、簡易型スケールについて図１〜図５を用いて説明する。
【００３０】
図１のように、本実施形態の簡易型スケールは、前後用スケール１０と左右用スケール２０とを直交させ、連結ピン３０を貫通させて留めた構造である。これらを図２のように被検体１の頭部に沿わせて配置することにより、国際１０−２０法のCz、Fz、Pz、C3、C4の位置を求めることができる。
【００３１】
前後用スケール１０は、図３（ａ）に示した形状の柔軟性のある２枚の帯１１，１２を図３（ｂ）のように重ねた構造である。帯１１には、ガイド用スリット１１ａと、中央スリット１１ｂが設けられ、端部にピン１１ｃが固定されている。帯１２には、ガイド用スリット１２ａと、中央スリット１２ｂが設けられ、端部にピン１２ｃが固定されている。帯１１、１２を重ねた状態で、帯１１のピン１１ｃを帯１２のガイド用スリット１２ａに挿入してこれと係合させ、帯１２のピン１１ｃを帯１１のガイド用スリット１１ａに挿入し、これと係合させている。これにより、２枚の帯１１，１２は互いに、重なった状態でスリット１１ａ、１２ａに沿って移動することができ、これにより前後用スケール１０は伸縮することができる。
【００３２】
帯１１，１２を一体的に、同じ移動量で伸び縮みさせるために、帯１１の上には、図３（ｃ）の形状の円盤１３が、図３（ｄ）のように重ねて配置されている。
【００３３】
連結ピン３０は、２枚の帯１１、１２の中央スリット１１ａ、１２ａと、円盤１３の中央の穴１３ａを貫通している。
【００３４】
また、帯１１、１２には、突起１１ｄ、１２ｄが設けられ、ピン３１、３２がそれぞれ固定されている。帯１１のピン３１は、円盤１３のスリット３３に係合し、帯１２のピン３２は、円盤１３のスリット３４に係合している。スリット３３，３４の長手方向は、ピン３０を中心に対称に半径方向に伸びている。
【００３５】
このように、半径方向に２本のスリット３３，３４をもつ円盤１３に、帯１１，１２のピン３１，３２を係合していることにより、２枚の帯１１，１２のうち一方の帯１１が、ピン３０を中心に操作者により伸ばされた場合、円盤１３が回転することにより、他方の帯１２もスリット３４によって付勢され、同じ移動量だけ反対方向に移動する。これにより、帯１１，１２が一体的に同じ移動量で伸びまたは縮む、前後用スケール１０が構成される。
【００３６】
下側の帯１２の上には、図１、図３（ｄ）のように全長測定用目盛り１６が付され、上側の帯１１上には、正中前頭部の基準点Fzの位置を示すFz目盛り１７と、正中頭頂部の基準点Pzの位置を示すPz目盛り１８とが付されている。全長測定用目盛り１６は、前後用スケール１０の全体の長さを示す目盛りおよび数値が予め求めた位置に刻まれている。Fz目盛り１７の目盛りおよび数値は、それぞれの伸縮状態のときのFz,Pz位置をそれぞれ示すようにあらかじめ求めた位置に刻まれている。
【００３７】
一方、左右用スケール２０は、図４に示すように、前後用スケール１０と同様の構成であり、柔軟性のある２枚の帯２１，２２と円盤２３とが重ねられた構造である。ただし、前後用スケール１０と異なり、円盤２３は、帯２１，２２の下に配置されている。帯２１，２２と円盤は、前後用スケール１０に対して直交し、かつ、円盤１３同士が重なるように配置され、図１のように連結ピン３０により連結されている。よって、２枚の円盤１３、２３の間で４枚の帯１１，１２、２１，２２が挟まれた構成であり、４枚の帯の突起１１ｄ，１２ｄ等は、２枚の円盤１３の間で移動するため、外面は滑らかである。
【００３８】
左右用スケール２０も、前後用スケール１０と同様に、２枚の帯２１，２２の一方の帯２１が、ピン３０を中心に操作者により伸ばされた場合、円盤２３が回転することにより、他方の帯２２も、同じ移動量だけ反対側に移動し、帯２１，２２が一体的に同じ移動量で伸びまたは縮む構成である。
【００３９】
下側の帯２２の上には、全長測定用目盛り２６が付され、上側の帯２１上には、中心部の基準点C3の位置を示すC3目盛り２７と、中心部の基準点C4の位置を示すC4目盛り２８とが付されている。
【００４０】
操作者は、前後用スケール１０を伸縮させ、図２に示すように、一方の端部１４が被検体１の鼻根２に、他方の端部１５が後頭結節に位置するように配置する。同時に左右用スケール２０も伸縮させ、一方の端部２４が被検体１の左耳介前点３に、他方の端部２５が右耳介前点に位置するように配置する。この状態で連結ピン３０が示す位置が正中中心の基準点Czである。
【００４１】
操作者は、前後用スケール１０の上側の帯１１の端部を目盛り指示線１９として用い、全長測定用目盛り１６上で目盛り指示線１９と重なる目盛りの数値を読む。全長測定用目盛り１６は、この数値が、前後用スケール１０の両端１４，１５の距離を表すように、あらかじめ求められたピッチおよび数値で刻まれている。よって、目盛り指示線１９の数値を読み出すことにより、鼻根２から後頭結節までの全長を測定できる。
【００４２】
また、Fz目盛り１７は、前後用スケール１０のその伸縮状態で、全長測定用目盛り１６から読みだした数値と同じ数値の目盛りが指している位置がFzとなるように、すなわちCzから全長の２０％の距離だけ鼻根側の位置に当該全長数値が付された目盛りが位置するように、予め求めた位置に目盛りおよび数値が刻まれている。よって、Fz目盛り１７から、全長測定用目盛り１６により測定した数値と同じ数値を示す目盛りを探すと、当該目盛りが指す位置が当該被検体１のFz位置である。このFz位置を頭皮上にマーキング等することにより、Fz位置を容易に決定することができる。
【００４３】
また、Pz目盛り１８は、前後用スケールのその伸縮状態で、全長測定用目盛り１６から読みだした数値と同じ数値の目盛りが指している位置がPzとなるように、すなわちCzから全長の２０％の距離だけ後頭部側の位置に当該全長数値が付された目盛りが位置するように、予め求めた位置に目盛りおよび数値が刻まれている。よって、Pz目盛り１８から全長測定用目盛り１６により測定した数値と同じ数値を示す目盛りを探すと、当該目盛りが指す位置が当該被検体１のPz位置である。このPz位置を頭皮上にマーキング等することにより、Pz位置を容易に決定することができる。
【００４４】
同様に、操作者は、左右用スケール２０の上側の帯２１の端部を目盛り指示線２９として用い、全長測定用目盛り２６上で目盛り指示線２９と重なる目盛りの数値を読み出す。全長測定用目盛り２６は、この数値が、左右用スケール２０の両端２４，２５の距離を表すように、あらかじめ求められたピッチおよび数値で刻まれている。よって、目盛り指示線２９の数値を読み出すことにより、被検体１の左耳介前点３から右耳介前点までの全長を測定できる。
【００４５】
また、C3目盛り２７は、左右用スケール２０のその伸縮状態で、全長測定用目盛り２６から読みだした数値と同じ数値の目盛りが指している位置がC3の位置となるように、すなわちCzから全長の２０％の距離だけ左耳介側の位置に当該全長数値が付された目盛りが位置するように、予め求めた位置に目盛りおよび数値が刻まれている。よって、C3目盛り２７から全長測定用目盛り２６により測定した数値と同じ数値を示す目盛りを探すと、当該目盛りが指す位置が当該被検体１のC3の位置である。このC3位置を頭皮上にマーキング等することにより、C3位置を容易に決定することができる。
【００４６】
また、C4目盛り２８は、左右用スケール２０のその伸縮状態で、全長測定用目盛り２６から読みだした数値と同じ数値の目盛りが指している位置がC4となるように、すなわちCzから全長の２０％の距離だけ右耳介側の位置に当該全長数値が付された目盛りが位置するように、予め求めた位置に目盛りおよび数値が刻まれている。よって、全長測定用目盛り２６により測定した数値と同じ数値を示すC4目盛り２８の目盛りを探し、当該目盛りが示す位置を頭皮上にマーキング等することにより、C4位置を容易に決定することができる。
【００４７】
具体例として、前後用スケール１０の端部１４を被検体１の鼻根２に、他方の端部１５を後頭結節に、左右用スケール２０の端部２４を被検体１の左耳介前点３に、他方の端部２５を右耳介前点にそれぞれ配置した状態が図５の伸縮状態であった場合について説明する。実際は、図２のように被検体の頭に沿わせて測定および基準点の位置決めを行うが、全体を図示するために、図５のように平面に広げた状態で説明する。
【００４８】
図５の例の場合、被検体１の鼻骨から後頭結節までの長さは、前後用スケール１０の目盛り指示線１９（帯１１の端部）が全長測定用目盛り１６と重なる位置を操作者から読むことにより４２ｃｍであることがわかる。よって、Fz用目盛り１７から４２の数値の目盛りを探すと、その目盛りの指している位置がFzの位置である。また、Pz用目盛り１８から４２の数値の目盛りを探すと、その目盛りの指している位置がPzの位置である。よって、これらの位置を頭皮上にマーキング等することにより容易にFz、Pzの位置を求めることができる。
【００４９】
また、図５の例において、被検体１の左右の耳介間の長さは、左右用スケール２０の目盛り指示線２９（帯２１の端部）が全長測定用目盛り２６と重なる位置を操作者が読むことにより、４５ｃｍであることがわかる。よって、C3用目盛り２７から４５の数値の目盛りを探すと、その目盛りの指している位置がC3の位置である。また、C4用目盛り１８から４５の数値の目盛りを探すと、その目盛りの指している位置がC4の位置である。よって、これらの位置を頭皮上にマーキング等することにより容易にC3、C4の位置を求めることができる。
【００５０】
同様に、被検体１の頭が小さい場合の例を図６に示す。図６の例の場合、被検体１の鼻骨から後頭結節までの長さは、前後用スケール１０の全長測定用目盛り１６を読むことで３３ｃｍであることがわかる。よって、Fz用目盛り１７から３３の数値の目盛りを探すことにより、Fz位置を求めることができる。また、Pz用目盛り１８の３３の数値の目盛り位置を探すことにより、Pz位置を求めることができる。
【００５１】
図６の例において、被検体１の左右の耳介間の長さは、左右用スケール２０の全長測定用目盛り２６を読むことで３５ｃｍであることがわかる。C3用目盛り２７から３５の数値の目盛りを探すことにより、C3位置を求めることができる。また、C4用目盛り１８から３５の数値の目盛りを探すことにより、C4位置を求めることができる。
【００５２】
このように、第１の実施形態では、連結ピン３０（Cz)を中心に両側に同じ移動量だけ伸縮する前後用スケール１０と左右用スケール２０を用いた場合、伸縮状態ごとにFz、Pz、C3、C4の位置が一義的に決まることを利用して、あらかじめ目盛り１７，１８，２７，２８と、目盛りに対応する全長の数値を刻んでおくことにより、容易にFz、Pz、C3、C4およびCzを位置決めすることができる。
【００５３】
これにより、巻き尺を頭に当てて全長を測定してメモし、電卓等で長さを計算し、求めた長さを巻き尺で計って頭皮上での位置を出すという作業が不要になり、容易に国際１０−２０法の基準点Fz、Pz、C3、C4およびCzを求めることができる。よって、短時間でプローブや電極をこれらの基準点に配置することができ、被検者および操作者の負担が少ない。
【００５４】
（第２の実施の形態）
第２の実施の形態として、全位置決定用スケールについて図７等を用いて説明する。
【００５５】
図７の全位置検出用スケールは、図７に示したように、伸縮可能な複数の格子を連結した構造であり、被検体１の頭にかぶせて用いる。これにより、被検体の頭の大きさにかかわらず、国際１０−２０法による１９点の基準点のうち１７点の位置を容易に決定できる。また、後述の中点検出用の部材をさらに連結することにより、残り２点を決定できる。
【００５６】
本実施形態の全位置検出用スケールの構造について具体的に説明する。本実施の形態の全位置検出用スケールは、図８に示したように６つの格子が伸縮可能に連結された部材（格子連続体）を４本、図９のように連結したものであり、図９において３つの連結点８４を連結し、３つの連結点８５を連結することにより輪をつくり、図７のように頭にかぶせることができるスケールを構成している。
【００５７】
図８の格子連続体は、図１０に示すように可撓性ある３種の帯Ｅ，Ｇ，Ｆを交差させ、交差点を角度変位可能に連結し、交差した帯の端部を隣接する交差した帯の端部と連結することにより構成されている。
【００５８】
帯Ｅには、両端に貫通孔ｅ１、ｅ３が備えられ、中央に貫通孔ｅ２が備えられている。貫通孔ｅ１と貫通孔ｅ２との距離は、貫通孔ｅ２と貫通孔ｅ３との距離と等しい。
【００５９】
帯Ｇには、両端に貫通孔ｇ１、ｇ３が備えられ、その間に貫通孔ｇ２が備えられている。貫通孔ｇ２とｇ３の距離は、貫通孔ｇ１と貫通孔ｇ２の距離の半分に設定されている。貫通孔ｇ１と貫通孔ｇ２の距離は、帯Ｅの貫通孔ｅ１、ｅ２間と等しく設定されている。
【００６０】
帯Ｈには、両端に貫通孔ｈ１、ｈ２が備えられ、その距離は、貫通孔ｇ２とｇ３の距離と等しい、すなわち帯Ｅの貫通孔ｅ１、ｅ２間の距離の半分である。
【００６１】
帯Ｅ（Ｅ１〜Ｅ６）を図８のように２本づつ交差させたものを３組用意し、交差点の貫通孔ｅ２にピンｋ３，ｋ４，ｋ５をそれぞれ挿入して、交差角度を変位可能に連結する。この３組の帯Ｅの交差体を一列に並べ、隣接する交差体の両端の貫通孔ｅ１，ｅ３にピンを挿入して角度変位可能に図８のように連結する。
【００６２】
一方、２本の帯Ｇを交差させて貫通孔ｇ２をピンｋ２、ｋ６を挿入し、交差角度の変位可能に固定したものを二組用意し、３組の帯Ｅの交差体の連続体の両側に配置し、図８のように連結する。さらにその両端に帯Ｈを図８のようにピンで連結し、帯Ｈの端部同士を連結する。
【００６３】
これにより、図８のように、６つの格子が直線状に並んだ格子連続体が得られる。３種の帯Ｅ、Ｇ、Ｈの貫通孔の間隔を、図１０のように定めているため、両端の２つの格子の一辺の長さを１とすると、その間の４つの格子の一辺の長さは２である。また、隣接する格子の辺は、一本の連続する帯によって構成されているため、隣接する格子の開き角αは、対頂角となり等しい。
【００６４】
よって、格子連続体の６つの格子の開き角αが等しくなるように配置することにより、各格子の長さ（長手方向に対向する頂点間の距離）は、常に全長に対して、10％、20％、20％、20%、20%、10％となる。この割合は、格子連続体の伸縮状態に関わらず一定である。
【００６５】
本実施形態では、この格子連続体を４本用い、これを図９のように連結する。すなわち、前後用スケール４０、左右用スケール５０、右外周用スケール６０、左外周用スケール７０としてそれぞれ格子連続体を用い、図９のように連結点８１、８２、８３で連結し、さらに右外周用スケール６０と左外周用スケール７０をその両端の連結点８４、８５で連結して輪にする。
【００６６】
このように連結することにより、前後用スケール４０と左右用スケール５０が相互の中央で交差し、前後用スケール４０の両端からその全長の10％上がった位置に右外周用スケール６０と左外周用スケール７０の構成する輪が連結されたスケールが構成される。右外周用スケール６０と左外周用スケール７０は、それぞれの中央で、左右用スケール４０の両端からその全長の10％上がった位置に連結されている。
【００６７】
なお、図９のように右外周用スケール４０の連結ピンを連結点８４から順にk31〜k37と呼ぶ。左外周用スケール７０のピンを連結点８４から順にk41〜k47と呼ぶ。前後用スケール４０のピンを前側から順にk11〜k17と呼ぶ。左右用スケール５０のピンを右側から順にk21〜k27と呼ぶ。
【００６８】
国際１０−２０法の各基準点は、図１２（ａ）、（ｂ），（ｃ）に示すように、鼻根から後頭結節までの長さを10％、20％、20％、20%、20%、10％に分割することにより、鼻根から30％の位置をFz、50％の位置をCz、70％の位置をPzと規定する。また、左右の耳介前点を結ぶ長さを10％、20％、20％、20%、20%、10％に分割することにより左耳介側から順にT3、C3、Cz、C4、T4と規定する。さらに、鼻根および後頭結節からそれぞれ10％頭頂寄りの点と、左右の耳介から10%頭頂寄りのT3、T4を通って頭を一周する輪を想定し、この輪において鼻根上部からT3を通って後頭結節上部に至る長さを10％、20％、20％、20%、20%、10％に分割することにより鼻根上部側から順にFp1、F7、T3、T5、O1と規定する。また、鼻根上部からT4を通って後頭結節上部に至る長さを10％、20％、20％、20%、20%、10％に分割することにより鼻根上部側から順にFp2、F8、T4、T6、O2と規定する。
【００６９】
よって、被検体１の基準点を決定する際には、図７に示すように本実施形態のスケールを頭にかぶせ、前後用スケール４０の端部（ピンk11）の位置を鼻根にあて、他端（ピンk17）の位置を後頭結節に当て、格子の開き角が等しくなるように調整する。同様に左右用スケール５０の端部（ピンk21）の位置を右耳介前部にあて、他端（ピンk27）の位置を左耳介前部に当て、格子の開き角が等しくなるように調整する。この状態で右外周用スケール６０と左外周用スケール５０についてそれぞれ格子の開き角が等しくなるように調整する。
【００７０】
これにより、各構成連結体のピンの位置は、それぞれの全長の10％、20％、20％、20%、20%、10％を指す。
【００７１】
よって、図７および図９のように前後用スケール４０のピンk13、k14、k15の位置がそれぞれFz、Cz、Pzの位置を示す。左右用スケール５０のk22、k23、k24、k25、k26の位置がそれぞれT4、C4、Cz、C3、T3の位置を示す。左外周用スケール７０のk42、k43、k44、k45、k46の位置がそれぞれFp1、F7、T3、T5、O1の位置を示す。右外周用スケール６０のk32、k33、k34、k35、k36の位置がそれぞれFp2、F8、T4、T6、O2の位置を示す。
【００７２】
以上により、国際１０−２０法上の基準点のうち１７点の位置を決定できる。
【００７３】
また、図１１のように同じ大きさの格子が２個連結された格子連結体を用意し、一端のピン９１をF8のピンk33に連結し、他端のピン９３をFzのピンk13に連結することにより、その中点の位置F4を決定できる。同様に、図１１の格子連結体をF7のピンk43と、Fzのピンk13と連結することにより、その中点の位置F3を決定できる。なお、図１１の格子連結体の格子の一辺の長さは、図８の構成連結体の格子の一辺と異なる長さであっても構わない。
【００７４】
以上により、国際１０−２０方向のすべての基準点を決定できる。
【００７５】
このように、第２の実施の形態では、可撓性があり、伸縮可能な格子連結体を用いることにより、その伸縮の度合いに関わらず、格子の連結ピンの位置が全長の10％、20％、20％、20%、20%、10％を示すことを利用して、被検体１の頭に被せるだけで、頭の寸法を計測することなく、全基準点位置をきわめて容易に決定することができる。よって、短時間でプローブや電極をこれらの基準点に配置することができ、被検者および操作者の負担が少ない。
【符号の説明】
【００７６】
１０…前後用スケール、１１…帯、１２…帯、１３…円盤、１６…全長測定用目盛り、１７…Fz用目盛り、１８…Pz用目盛り、２０…左右用スケール、２１…帯、２２…帯、２３…円盤、２６…全長測定用目盛り、２７…C3用目盛り、２８…C4用目盛り、３０…連結ピン、３１、３２…ピン、３３，３４…スリット、４０…前後用スケール、５０…左右用スケール、６０…右外周用スケール、７０…左外周用スケール、８１、８２，８３，８４…連結点、９１，９２，９３…ピン、Ｅ，Ｇ，Ｈ…帯。
【図１】
2010158398.tif 000003
【図２】
2010158398.tif 000004
【図３】
2010158398.tif 000005
【図４】
2010158398.tif 000006
【図５】
2010158398.tif 000007
【図６】
2010158398.tif 000008
【図７】
2010158398.tif 000009
【図８】
2010158398.tif 000010
【図９】
2010158398.tif 000011
【図１０】
2010158398.tif 000012
【図１１】
2010158398.tif 000013
【図１２】
2010158398.tif 000014